(57)【要約】【課題】原稿の有無を判別するためのしきい値の設定を不要とし、反射型光センサのばらつきは経年変化があっても正確に原稿サイズを検知できるようにする。【解決手段】角度検出手段（原稿カバー閉状態検出スイッチ１５，角度検出部１６）により、原稿押さえ白板１４と原稿台ガラス１１との角度検出を行う。そして原稿台ガラス１１上に原稿がない状態で、所定の第１及び第２の角度のときの反射型光センサ１２ａ〜１２ｃからの出力値を取得し、これらの比を基準出力比として記憶手段１８に記憶しておく。実際に原稿サイズを検知する際、角度検出手段が検出した第１及び第２の角度のときの各反射型光センサ１２ａ〜１２ｃの出力値の比と、記憶手段１８に記憶している基準出力比とを比較し、反射型センサ１２ａ〜１２ｃの出力値の比が基準出力比未満の場合には、その反射型光センサの検知部分には原稿があるものと判定する。【選択図】図１
2008219568.tif 000002
【特許請求の範囲】
【請求項１】
原稿台ガラス上に載置される原稿のサイズを検知する原稿サイズ検知装置であって、
前記原稿台ガラスの下方に所定の位置関係で配設され、前記原稿台ガラス上の反射光量を検知する複数の反射型光センサと、
前記原稿台ガラスを覆って原稿を押さえるための原稿押さえ白板と前記原稿台ガラスとの角度を検出する角度検出手段と、
前記原稿台ガラス上に原稿が載置されていない状態で、前記角度検出手段が検出した所定の第１の角度及び第２の角度のときの前記反射型光センサの出力値を取得し、前記第１の角度のときの出力値と前記第２の角度のときの出力値との比を算出して該出力値を基準出力比として予め記憶しておく記憶手段と、
前記角度検出手段が検出した前記第１の角度及び前記第２の角度のときの各反射型光センサの出力値の比と、前記予め記憶手段に記憶した前記基準出力比とを比較し、前記反射型センサの出力値の比が前記基準出力比より小さい場合には、該比較した前記反射型光センサの検知部分には原稿があるものと判定することを特徴とする原稿サイズ検知装置。
【請求項２】
請求項１に記載の原稿サイズ検知装置において、前記第１の角度と前記第２の角度は、前記反射型光センサが備える受光部が受光する光の光路範囲を前記原稿台ガラスの上方に延長したときに、前記光路範囲に前記原稿押さえ白板が少なくとも存在する位置における角度であることを特徴とする画像形成装置。
【請求項３】
請求項１に記載の原稿サイズ検知装置において、前記反射型光センサの出力値をデジタル値に変換するＡ／Ｄ変換器を備え、該Ａ／Ｄ変換器は、前記複数の反射型光センサの出力値を変換するために共通に使用されることを特徴とする原稿サイズ検知装置。
【請求項４】
請求項１に記載の原稿サイズ検知装置において、前記角度検出手段は、前記原稿押さえ白板の傾斜角を検出する透過型光学センサと、前記原稿押さえ白板と前記原稿台ガラスが接触していることを検知する検知スイッチと、を有することを特徴とする原稿サイズ検知装置。
【請求項５】
請求項１に記載の原稿サイズ検知装置において、前記角度検出手段は、原稿押さえ白板と前記原稿台ガラスとの角度に応じて抵抗値が変化する可変抵抗を有することを特徴とする原稿サイズ検知装置。
【請求項６】
請求項１〜５のいずれか１項に記載の原稿サイズ検知装置を備えた原稿読取装置。
【請求項７】
請求項６に記載の原稿読取装置を備えた画像形成装置。
【発明の詳細な説明】
【技術分野】
【０００１】
本発明は、原稿サイズ検知装置、原稿読取装置、及び画像形成装置に関し、より詳細には、原稿サイズを反射型の光センサで検知する原稿サイズ検知装置、その装置を備えた原稿読取装置、及びその原稿読取装置を備えた画像形成装置に関する。
【背景技術】
【０００２】
原稿を光学的に読み取って画像データとする原稿読取装置（スキャナ装置）が知られている。原稿読取装置は、単独の装置とし、また複写機などの画像形成装置に搭載されて流通している。原稿読取装置が読み取った画像データに対しては、印刷やファイル保存などの処理が施される。
このような原稿読取装置では、その原稿台に手作業で置かれた原稿、あるいはＡＤＦ（原稿自動送り装置）により原稿台に送られた原稿に対して、その原稿サイズを判定する必要が生じる。そのため原稿読取装置には、原稿台上の原稿サイズを検知するための原稿サイズ検知装置が搭載されている。
【０００３】
原稿サイズ検知装置は、複数の反射型光センサを備え、これら複数の反射型光センサが原稿台ガラスの下方に所定の位置関係で配設される。そしてこれらの反射型光センサによる出力に従って、原稿台ガラス上の原稿の有無を検知する。複数の反射型光センサは、一般的な原稿のサイズであるＡ４，Ｂ４，Ａ５，Ｂ５等の原稿が判定できるような位置関係で配置され、各反射型光センサの出力結果の組み合わせによって原稿サイズを判定することができる。
【０００４】
各反射型光センサは、発光部と受光部とがセットで構成されており、発光部からの反射光を受光部で受光し、その検知光量がしきい値以上（あるいはしきい値を超える）の場合に原稿ありとして検知を行う。ここで用いられるしきい値は、装置製造時に調整した後は固定されている。一般に反射型光センサの発光部にはＬＥＤが用いられ、受光部にはフォトトランジスタが用いられる。
【０００５】
図１４は、センサ出力値を利用した従来の原稿検知処理例を説明するための図である。図１４のグラフの横軸は、原稿台ガラスと原稿押さえ白板との角度を示し、縦軸は原稿台ガラスの下方に設けられたセンサの出力レベル（電圧値）を示している。原稿押さえ白板は、原稿カバーの下側（原稿台ガラス側）に備えられるもので、白色の樹脂シートからなり、その全閉時（角度０°のとき）に原稿台ガラス上に置かれた原稿を原稿ガラス台に押圧する。そしてこのときに原稿がない領域では、反射型光センサの発光部から出射した光を全反射する。そして反射型光センサは原稿押さえ白板からの反射光を検出し、検出光量に応じた電圧を出力する。
【０００６】
図１４の例では、原稿台ガラスと原稿押さえ白板との角度（以下説明のために単に原稿押さえ白板の角度とする）として０°、２０°、６０°、９０°の４点でセンサ出力値をプロットしている。そして原稿台ガラスの上に原稿が置かれていない状態で、原稿押さえ白板の角度を変更したときのセンサ出力値をＩに示している。センサ出力値Ｉは、原稿サイズ検知装置に対して外乱光の影響がない状態でのセンサ出力値である。センサ出力値Ｉに示すように、原稿押させ白板の角度が０°（全閉）の状態から９０°（全開）に向かうに従って、センサ出力値が低下していき、６０°〜９０°の状態で最もセンサ出力値が低くなっている。
【０００７】
一方、原稿サイズ検知装置に対して外乱光の影響があった場合のセンサ出力値をIIに示す。外乱光としては例えば原稿サイズ検知装置が設置された室内の照明光や、室外から照射する太陽光などの自然光などがある。この外乱光がセンサで受光されることにより、センサ出力値が影響される。センサ出力値IIに示すように、原稿押さえ白板の角度が０°（全閉）の状態から９０°（全開）に向かうときに、角度０°から２０°まではセンサ出力値が低下していくが、２０°〜９０°では原稿カバーの角度が大きくなるに従って最もセンサ出力値が大きくなっている。つまり原稿押さえ白板の角度が大きくなると、外乱光が反射型光センサに入射して、外乱光が無い場合よりもセンサ出力値が大きくなる。
【０００８】
一方、原稿台ガラスの上に原稿が置かれている場合、そのときのセンサ出力値はIII，IVのようになる。これらのうちIIIは白色の原稿（白原稿）のときのセンサ出力値であり、IVは黒色の原稿（黒原稿）のときのセンサ出力値である。原稿台ガラスの上に原稿が置かれている場合、その原稿部分の反射光を検出したセンサの出力値は、原稿カバーが浮いたりしない限り一定となる。
【０００９】
上記のような原稿押さえ白板の角度と原稿の有無とに応じたセンサ出力値の特性を利用して原稿サイズの検知を行う。ここでは原稿押さえ白板が特定の角度のときのセンサ出力値を所定のしきい値と比較して、原稿台ガラス上の原稿の有無を検知する。例えば外乱光の影響を受けにくい２０°の原稿カバー角度においてセンサ出力値を検出する。２０°の原稿カバー角度においては、原稿があるときに比べて原稿がないときのセンサ出力値が低くなるため、これらの間のレベルにしきい値を設けて、実際のセンサ出力値をしきい値と比較することにより原稿の有無を判別することができる。
【００１０】
このような原稿サイズ検知装置に関し、例えば特許文献１には、原稿カバーの開放角が３０〜４５゜であることを検出し、その検出時に反射型原稿サイズセンサにより原稿サイズの検知を行なう原稿サイズ検知装置が開示されている。また特許文献２には、プラテンカバーを閉じるときの原稿センサの出力の変化状態に基づいて原稿サイズを検知する原稿サイズ検知装置が開示されている。ここではプラテンカバーの２つの開放角におけるセンサ出力の有無の組合せから白原稿、黒原稿、原稿無をそれぞれ判定している。
【特許文献１】特開平４−１６３４３７号公報
【特許文献２】特開平４−２６１５６５号公報
【発明の開示】
【発明が解決しようとする課題】
【００１１】
上記各特許文献では、外乱光の影響が少ない原稿カバーの特定角度にて、反射型光センサからの出力値を所定のしきい値と比較することにより、原稿台ガラス上の原稿の有無を判定している。しかしながら、種々のサイズの原稿を検知するために複数設けられた反射型光センサ間のばらつきや、各反射型光センサの経年変化による受光検知量の減少等により、原稿台ガラスの上に原稿があっても、反射型光センサからの出力値がしきい値を下回ることがあり、誤検知を起こすという問題がある。以下にこれらの誤検知が生じるときの反射型光センサ出力の具体例を説明する。
【００１２】
図１５は、反射型光センサの受光検知量が低下したときの原稿検知の誤動作について説明するための図である。図１５は、上記図１４と同様に、横軸に原稿台ガラスと原稿押さえ白板との角度を示し、縦軸にセンサの出力レベル（電圧値）を示している。
反射型光センサは、経年変化によってその特性が劣化し、同じ受光量であってもその出力値が低下していく。例えば図１５に示すように、原稿がなく外乱光の影響がないときのセンサ出力値はその経年変化によってＩからＩ´へ変化する。同様に原稿が無く外乱光の影響があるときのセンサ出力値はIIからII´に変化し、白原稿のときのセンサ出力値はIIIからIII´に変化し、黒原稿のときのセンサ出力値はIVからIV´に変化する。このような経年変化は徐々に進行していく。
【００１３】
センサの経年変化により出力値が低下すると、センサ出力値をしきい値と比較して原稿の有無を判別する際に、原稿があるにもかかわらず原稿がないものと誤判別する現象が生じる。図１５の例では、センサ出力値が全体に低下し、特に黒原稿のときのセンサ出力値IVが、しきい値より低いIV´のレベルにまで低下してしまう。原稿サイズ検知装置に設定されているしきい値は変化しないため、この状態ではしきい値より低いセンサ出力値をもつ原稿が原稿台ガラス上に置かれていても、原稿なしと判別されて誤検知となる。
【００１４】
図１６は、想定反射率より低い反射率の原稿に対する原稿検知の誤動作について説明するための図である。本例の場合、上記図１５のように反射型光センサの経年変化がない状態であるにもかかわらず、想定した反射率よりも低い反射率の原稿が原稿台ガラス上に置かれた場合、センサ出力値がしきい値よりも低くなって原稿なしとして判別され、誤検知となる。
例えば表面が艶消しなどに処理された黒原稿が原稿載置台ガラス上に置かれたものとする。そしてこの黒原稿のセンサ検出値が想定した黒原稿よりも低く、図１６のIVのような出力値になったものとする。このような場合には、原稿があるにもかかわらずセンサ出力値がしきい値より低いために、原稿がないものと判別されてしまう。
【００１５】
上記のように、従来は外乱光の影響が少ない原稿カバーの特定角度にて、反射型光センサからの出力値を所定のしきい値と比較することにより、原稿台ガラス上の原稿の有無を判定しているが、反射型光センサの経年変化やばらつき、あるいは多様な反射率の原稿の使用などが要因となって、一定のしきい値と比較しても必ずしも正確に原稿の有無を検知できない、という問題があった。
【００１６】
本発明は、上述のごとき実情に鑑みてなされたもので、原稿台ガラスの下方に配設された反射型光センサの出力値によって原稿台ガラス上の原稿の有無を検知する構成において、原稿の有無を判別するためのしきい値の設定を不要とし、反射型光センサのばらつきや経年変化、もしくは多様な反射率の原稿が用いられても常に正確に原稿サイズを検知できるようにした原稿サイズ検知装置と、該原稿サイズ検知装置を備えた画像読取装置及び画像形成装置を提供することを目的とするものである。
【課題を解決するための手段】
【００１７】
上記課題を解決するために、本発明の第１の技術手段は、原稿台ガラス上に載置される原稿のサイズを検知する原稿サイズ検知装置であって、原稿台ガラスの下方に所定の位置関係で配設され、原稿台ガラス上の反射光量を検知する複数の反射型光センサと、原稿台ガラスを覆って原稿を押さえるための原稿押さえ白板と原稿台ガラスとの角度を検出する角度検出手段と、原稿台ガラス上に原稿が載置されていない状態で、角度検出手段が検出した所定の第１の角度及び第２の角度のときの反射型光センサの出力値を取得し、第１の角度のときの出力値と第２の角度のときの出力値との比を算出して出力値を基準出力比として予め記憶しておく記憶手段と、角度検出手段が検出した第１の角度及び第２の角度のときの各反射型光センサの出力値の比と、予め記憶手段に記憶した基準出力比とを比較し、反射型センサの出力値の比が基準出力比より小さい場合には、比較した反射型光センサの検知部分には原稿があるものと判定することを特徴としたものである。
【００１８】
第２の技術手段は、第１の技術手段において、第１の角度と第２の角度は、反射型光センサが備える受光部が受光する光の光路範囲を原稿台ガラスの上方に延長したときに、光路範囲に原稿押さえ白板が少なくとも存在する位置における角度であることを特徴としたものである。
【００１９】
第３の技術手段は、第１の技術手段において、反射型光センサの出力値をデジタル値に変換するＡ／Ｄ変換器を備え、Ａ／Ｄ変換器は、複数の反射型光センサの出力値を変換するために共通に使用されることを特徴としたものである。
【００２０】
第４の技術手段は、第１の技術手段において、角度検出手段は、原稿押さえ白板の傾斜角を検出する透過型光学センサと、原稿押さえ白板と原稿台ガラスが接触していることを検知する検知スイッチと、を有することを特徴としたものである。
【００２１】
第５の技術手段は、第１の技術手段において、角度検出手段は、原稿押さえ白板と原稿台ガラスとの角度に応じて抵抗値が変化する可変抵抗を有することを特徴としたものである。
【００２２】
第６の技術手段は、第１〜５のいずれかの技術手段である原稿サイズ検知装置を備えた原稿読取装置である。
【００２３】
第７の技術手段は、第６の技術手段である原稿読取装置を備えた画像形成装置である。
【発明の効果】
【００２４】
本発明によれば、原稿台ガラスの下方に配設された反射型光センサの出力値によって原稿台上の原稿の有無を検知する構成において、原稿の有無を判別するためのしきい値の設定を不要とし、反射型光センサのばらつきや経年変化、もしくは多様な反射率の原稿が用いられても常に正確に原稿サイズを検知できるようにした原稿サイズ検知装置と、該原稿サイズ検知装置を備えた画像読取装置及び画像形成装置を提供することができる。
【発明を実施するための最良の形態】
【００２５】
本発明に関わる原稿サイズ検知装置は、手作業またはＡＤＦにより原稿台ガラス上に載置された原稿のサイズを検知する装置であり、複数の反射型光センサ（以下、単に光センサという）を備える。
原稿サイズ検知装置は、一般的に原稿を光学的に読み取って画像データを出力する原稿読取装置（スキャナ装置）に具備される。そして原稿読取装置において、原稿を読み取る範囲を限定するために、あるいは原稿を読み取った後の変倍処理等の処理に用いるために、各光センサの出力結果に従って原稿サイズを判定する。このように本発明は、原稿サイズ検知装置を搭載した原稿読取装置としての形態を採り得る。また原稿読取装置を搭載した複合機や単なるコピー機やファクシミリ装置などの画像形成装置としての形態も採り得る。
【００２６】
図１は、本発明の一実施形態に関わる原稿サイズ検知装置を具備した原稿読取装置の構成例を説明するための図である。
原稿サイズ検知装置は、原稿読取装置１に組み込まれているもので、複数の光センサ１２ａ〜１２ｃと、原稿押さえ白板１４と原稿台ガラス１１との角度を検出する角度検出手段（原稿カバー閉状態検出スイッチ１５、角度検出部１６など）と、光センサ１２ａ〜１２ｃの出力値及び角度検出手段による検出角度から各光センサ１２ａ〜１２ｃの原稿の有無を判別し、これらの判別結果から原稿のサイズを検知する制御手段１７と、制御手段１７で原稿サイズ検知に用いるデータ等を記憶しておく記憶手段１８とを備えている。なお実施形態の説明においても、原稿押さえ白板１４と原稿台ガラス１１との角度を、単に原稿押さえ白板１４の角度として説明する。
【００２７】
原稿読取装置１は、その筐体１０の上面に原稿台ガラス１１が設けられている。また筐体１０の内部には図示しないスキャナユニットが設けられ、原稿台ガラス１１上に載置された原稿Ｐの画像を読み取る。
原稿読取装置１の筐体１０には、原稿カバー１３が開閉可能に設けられている。原稿カバー１３の表面（原稿台ガラス１１側）には原稿押さえ白板（ＯＣマット）１４が設けられている。本例の原稿押さえ白板１４には、原稿台ガラス１１を覆って原稿Ｐを押さえるための白色の樹脂シートが用いられる。原稿押さえ白板１４は、原稿カバー１３が閉じられた際に原稿台ガラス１１を押圧し、原稿がない領域では光センサから発光された光を全反射する。
【００２８】
原稿Ｐは、薄い用紙に限らず本などの厚い被読取媒体であることもあり、原稿押さえ白板１４は、原稿Ｐを押さえたときに原稿Ｐを保護する機能を有する。また原稿読取装置１は、一般に原稿台ガラス１１上に原稿Ｐが置かれ、原稿カバー１３が閉じられた状態で画像読取処理を実行するが、原稿カバー１３が開けられたままの状態でも画像読取処理を行うことができる。
【００２９】
原稿台ガラス１１の下方には、複数の光センサ１２ａ〜１２ｃが所定の位置関係で配設されている。各光センサ１２ａ〜１２ｃは、ＬＥＤ等の発光素子からなる発光部と、フォトトランジスタ等の受光素子からなる受光部とを備えている。各光センサ１２ａ〜１２ｃは、受光部で受光した光量に応じた電圧値を出力し、制御手段１７に入力させる。光センサ１２ａ〜１２ｃはここでは３つ備えられるものとしたが、検知すべき原稿サイズに応じて適宜その数と位置が設定される。
【００３０】
制御手段１７は、角度検手段を制御して、原稿押さえ白板１４の角度が所定の角度のときに、それぞれの光センサ１２ａ〜１２ｃによる出力値を取得する。所定の角度としては予め二つの角度が定められ、制御手段１７はそれぞれの角度において光センサ１２ａ〜１２ｃの出力値を取得する。そして二つの角度の出力値の比をとって、記憶手段１８に記憶している基準値と比較することにより、各光センサ１２ａ〜１２ｃの検知部における原稿の有無を判別する。これらの具体的処理については後述する。
【００３１】
そして制御手段１７は、各光センサ１２ａ〜１２ｃの出力結果の組み合わせによって原稿サイズを判定する。このときのサイズの判定条件は、光センサ１２ａ〜１２ｃの位置関係に依存する。例えば原稿台ガラス１１上では、常に原稿の左上隅を位置Ｑに合わせて横置きに原稿が置かれるもののとする。そして検知する原稿のサイズを例えばＢ５，Ａ４，Ａ３の３種類とするとき、光センサ１２ａ〜１２ｃをこれらの原稿サイズに合わせて配置する。
【００３２】
例えば、第１の光センサ１２ａで原稿ありと判定され、第２の光センサ１２ｂで原稿なしと判定されたときには、原稿のサイズがＢ５であると判定できるように光センサ１２ａ，１２ｂを配置する。同様に第２の光センサ１２ｂで原稿ありと判定され、第３の光センサ１２ｃで原稿なしと判定されたときには、原稿のサイズがＡ４であると判定されるように光センサ１２ｂ，１２ｃを配置する。さらに第３の光センサ１２ｃで原稿ありと判定されたときには、原稿サイズはＡ３であると判定されるように光センサ１２ｃを配置する。
【００３３】
このように、制御手段１７では、各光センサ１２ａ〜１２ｃの出力値に基づいて光センサごとの原稿の有無を判定し、各光センサ１２ａ〜１２ｃの判定結果の組み合わせに従って、原稿台ガラス上に置かれた原稿サイズを判定する。光センサ１２ａ〜１２ｃの配置は、検知すべき原稿サイズに応じて適宜その数と位置を設定できる。また原稿が横置きと縦置きの両方で置かれる場合には、これらに応じて光センサの数と配置位置が選択される。
【００３４】
次に原稿サイズ検知装置が備える角度検出手段について説明する。上記のように原稿サイズ検知は、原稿押さえ白板１４の角度を検出するための角度検出手段を備えている。原稿押さえ白板１４は、原稿カバー１３の表面に備え付けられているため、原稿カバー１３と原稿台ガラス１１との角度を検出するものと定義してもよい。
図１の構成では、角度検出手段として、原稿カバー閉状態検出用スイッチ１５と、原稿カバー１３を筐体１０に回動可能接続する支軸側端に設けられた角度検出部１６とが備えられている。
【００３５】
原稿カバー閉状態検出用スイッチ１５は、原稿カバー１３の閉状態を検出するもので、原稿押さえ白板１４と原稿台ガラス１１とが接触していることを検知する本発明の検知スイッチに該当する。ここでは原稿カバー１３が閉じられたときに、原稿カバー閉状態検出用スイッチ１５が押されることにより電気信号が制御手段１７に出力される。これにより制御手段１７では、原稿カバー１３が取り付けられた原稿押さえ白板１４と原稿台ガラス１１とのなす角度が０°であることがわかる。また原稿カバー閉状態検出用スイッチ１５は、受光センサで構成してもよい。
【００３６】
一方、角度検出部１６は、原稿押さえ白板１４の角度が所定角度であることを検知する。図２は、本発明の原稿サイズ検知装置に適用される角度検出部の構成例を示す図で、図１の原稿読取装置１に具備された角度検出部を示すものである。
原稿カバー１３は支軸１９によって筐体１０に対して軸支され、原稿カバー１３の開閉動作に伴って矢印Ｍ方向に回動可能となっている。また原稿カバー１３の下端には遮光片２１が取り付けられ、原稿カバー１３の開閉動作に伴って、矢印Ｎ方向に移動する。
一方、原稿読取装置１の筐体１０には、発光部（発光素子）と受光部（受光素子）からなるフォトインタラプタ２０ａが固定される。そして遮光片２１が原稿カバー１３の開閉動作に伴って矢印Ｎ方向に移動するとき、遮光片２１がフォトインタラプタ２０ａの発光部と受光部の間を通過可能となっている。これらフォトインタラプタ２０ａと遮光片２１とにより角度センサ２０が構成される。角度センサ２０は、原稿押さえ白板１４の傾斜角を検出する本発明の透過型光学センサに該当する。
【００３７】
角度センサ２０は、フォトインタラプタ２０ａの発光部と受光部との間を遮光片２１が遮ったときに所定の信号を出力し、制御手段１７に入力させる。制御手段１７では、このときに原稿押さえ白板１４の角度が所定角度であることを検知する。つまり目的とする所定角度（例えば２０°）に応じてフォトインタラプタ２０ａと遮光片２１との位置関係を予め設定しておくことにより、所定角度のときに遮光片２１がフォトインタラプタ２０ａに作用して、所定角度であることを検知することができる。
【００３８】
図３は、本発明の原稿サイズ検知装置に適用される角度検出手段の他の構成例を説明するための図である。原稿押さえ白板１４の角度を検出する角度検出手段としては、上記の例の他、原稿カバー１３の回動角度に応じて抵抗値が変化する可変抵抗を用いてもよい。
本例の角度検知手段は原稿カバー１３の支軸１９の側端部に設けられる。ここでは直流電源３１に接続された抵抗３０が支軸１９の周囲を周回するように配置される。また抵抗３０に接触する可動片３２が原稿カバー１３と一体的に回動し、可変抵抗が構成される。抵抗３０と可動片３２とは制御手段１７に接続される。ここでは可動片３２の位置を固定とし、抵抗３０が原稿カバー１３と一体的に回動するようにしてもよい。そして原稿カバー１３を開閉すると、抵抗３０に接触する可動片３２の位置がスライドして抵抗値が変化し、このときの電圧値を制御手段１７で検出する。制御手段１７では、電圧値に応じて原稿押さえ白板１４の角度を算出できるように、予め電圧値と上記角度との関係を記憶手段に記憶しておく。
【００３９】
図４は、原稿サイズ検知装置の主要部の回路構成を説明するための図である。
主要部４０には、第１の光センサ１２ａ、第２の光センサ１２ｂ、第３の光センサ１２ｃ、記憶手段１８、角度検出手段４１、Ａ／Ｄ変換器４２、スイッチ４３、及びこれらを制御するＣＰＵ４４が備えられる。
【００４０】
ＣＰＵ４４は、原稿サイズ検知装置の主制御部、すなわち原稿読取装置１の制御手段（主制御部または副制御部）に相当する。記憶手段１８は、所定のプログラムや各種データが格納されたＲＯＭやＥＥＰＲＯＭ、そのプログラムを実行する領域のＲＡＭよりなり、ＣＰＵ４４は、記憶手段１８のプログラムをＲＡＭ上に読み出して実行する。このプログラムには、本発明に関わる原稿サイズ検知処理の手順をＣＰＵ４４に実行させるためのプログラムが含まれる。記憶手段１８には、原稿サイズ検知処理にて使用する所定角度のセンサ出力値の基準値データが記録保持される。
また角度検出手段４１は、図１、図２に示す原稿カバー閉状態検出用スイッチ１５及び角度検出部１６、または図３に示す可変抵抗による角度検出手段が適用される。
【００４１】
光センサ１２ａは、ＬＥＤによる発光部１２１と、フォトトランジスタによる受光部１２２とを備え、ＣＰＵ４４から出力される発光パルス信号により発光部１２１の発光が制御される。受光部１２２は、受光した光によって流れた電流を電圧値に変換し、スイッチ４３に対してセンサ出力値として出力する。また光センサ１２ｂ，１２ｃも同様の構成を持ち、それぞれのセンサ出力値をスイッチ４３に出力する。
【００４２】
ＣＰＵ４４は、スイッチ４３に受光出力切替え信号を出力し、光センサ１２ａ〜１２ｃから出力されたセンサ出力を順次切り換えてＡ／Ｄ変換器４２に入力する。Ａ／Ｄ変換器４２は、光センサ１２ａ〜１２ｃからのセンサ出力をデジタル値に変換して、ＣＰＵ４４に入力させる。ＣＰＵ４４では、入力したセンサ出力値を使用して、原稿検知サイズの検知処理を実行する。Ａ／Ｄ変換器４２は、複数の光センサ１２ａ〜１２ｃの出力値をデジタル値に変換するために共通に使用される。
【００４３】
次に本発明の原稿サイズ検知装置における原稿サイズ検知処理について更に具体的に説明する。本発明に関わる実施形態では、上記のような原稿押さえ白板１４の角度と原稿の有無とに応じたセンサ出力値の特性を利用して原稿検知を行う。ここでは従来のように原稿押さえ白板１４が特定の角度のときのセンサ出力値を所定のしきい値と比較する処理は必要なく、所定の二つの角度のときのセンサ出力値の比を用いて、原稿の有無を判別する。
【００４４】
まず原稿サイズ検知装置は、原稿がない状態で所定の二つの角度におけるセンサ出力値の比を演算し、その比を基準出力比として予め保持しておく。これらの処理は、ＣＰＵ４４の制御のもとに、角度検出手段４１により所定の角度を検知したときに光センサ１２ａ〜１２ｃの出力値を取得する処理を二つの角度にて実行し、これらの角度におけるセンサ出力値の比を光センサごとに演算する。演算した光センサごとの基準出力比は、記憶手段１８に予め記憶させておく。
【００４５】
二つの所定の角度としては、原稿押さえ白板１４が取り付けられた原稿カバー１３が全閉である０°と、外乱光の影響を受けない２０°とを選択する。勿論これらの角度は０°と２０°に限定されることなく、任意の二つの角度を選択することができるが、光センサの出力値の比を取るためにある程度離れた角度で、かつ外乱光の影響を受けない角度を選択することが好ましい。例えば外乱光の影響を受ける角度を設定すると、二つの角度におけるセンサの出力比が小さくなって原稿の有無の判別が困難になる場合が生じる。
【００４６】
図５は、原稿検知に使用する原稿押さえ白板の角度設定を説明するための図である。上記のように原稿検知処理を行う場合に、予め原稿押さえ白板１４の２つの角度を設定し、その角度で光センサ１２ａ〜１２ｂの出力値を検出する。このときにセンサ出力値を取得する原稿押さえ白板１４の角度は、以下のような条件で設定するとよい。
図５において、光センサ１２ａ〜１２ｃの発光部１２１から発光した光が原稿台ガラス１１の上面で反射して受光部１２２に入射する光束の光路を考える。このとき、発光部１２１から出射した光束が原稿台ガラス１１の上面を照射する領域をｒ１とする。つまり領域ｒ１は、その光センサにおける原稿台ガラス上の検知領域である。
【００４７】
このときに、領域ｒ１を通って受光部１２２の受光領域に到達する光の光路範囲が受光部１２２の検知領域となる。これを領域ｒ２とする。領域ｒ２の光路範囲をそのまま原稿台ガラス１１の上方に延長していくと、原稿押さえ白板１４上で領域ｒ３を形成する。この領域ｒ３が、受光部１２２で検知される原稿押さえ白板１４の反射領域となる。
すなわち受光部１２２で外乱光の影響を受けないようにするためには、領域ｒ２上に原稿押さえ白板１４が存在する必要がある。これ以上原稿押さえ白板１４の角度が大きくなると、図６に示すように、外乱光が受光部１２２に入射してしまい、原稿検知処理の精度が低下する。
【００４８】
このように、外乱光がない状態で光センサ１２ａ〜１２ｃの出力値を取得できるようにするために、光センサ１２ａ〜１２ｃの受光部１２２が受光する光の光路範囲を原稿台ガラス１１の上方に延長したときに、その光路範囲に原稿押さえ白板１４が少なくとも存在する位置で、センサ出力値を検出するための原稿押さえ白板１４の角度を設定するとよい。
【００４９】
図７は、本発明の原稿サイズ検知装置による原稿検知処理例を説明するための図である。上述の図１４，図１５の例と同様に、図７のグラフの横軸は原稿押さえ白板１４の角度を示し、縦軸は原稿台ガラス１１の下方に設けられた光センサ１２ａ〜１２ｃの出力レベル（電圧値）を示している。光センサ１２ａ〜１２ｃは、原稿押さえ白板１４からの反射光を検出し、検出光量に応じた電圧を出力する。
【００５０】
図７では、原稿押さえ白板１４の角度として０°、２０°、６０°、９０°の４点でセンサ出力値をプロットしている。そして原稿台ガラス１１の上に原稿が置かれていない状態で、原稿押さえ白板１４の角度を変更したときのセンサ出力値をＩに示し、原稿サイズ検知装置に対して外乱光の影響があった場合のセンサ出力値をIIに示している。また原稿ガラス台１１の上に原稿が置かれている場合、そのときのセンサ出力値はIII，IVのようになる。これらのそれぞれのセンサ出力値Ｉ〜IVは、上述した図１４の状態と同様であるため、その繰り返しの説明は省略する。
【００５１】
図７に示すように、原稿がない状態の角度２０°のセンサ出力値を（Ｏｃ（２０）とし、原稿がない状態の角度０°のセンサ出力値を（Ｏｃ（０））とする。そして原稿サイズ検知装置のＣＰＵ４４は、予めこれらのセンサ出力値を取得し、
基準出力比Ｒ＝Ｏｃ（０）／（Ｏｃ（２０））
を算出して、記憶手段１８に保持させておく。この場合、全ての光センサ（この場合光センサ１２ａ〜１２ｃ）のそれぞれについて、上記基準出力比を求めて記憶させておく。また他の例として、いずれか一つの光センサの基準出力比を代表値として記憶させておいてもよい。
【００５２】
実際に原稿サイズを検知する場合に、原稿カバー１３の開閉に伴って角度検出手段４１により所定の角度である２０°と０°が検出されたときに、ＣＰＵ４４がセンサ出力値を取得する。このときの角度０°のセンサ出力値をＯｑ（０）とし、角度２０°のときのセンサ出力値をＯｑ（２０）とする。原稿は通常、原稿カバー１３を開状態にしてから原稿台ガラス１１の上に置かれ、その後原稿カバー１３が閉められる。従って、角度２０°と０°のときのセンサ出力値の検出は、２０°と０°の順に角度検出されたときに実行するようにしてもよい。
【００５３】
そしてＣＰＵ４４は、それぞれの光センサ１２ａ〜１２ｃについて、
センサ出力比Ｓ＝Ｏｑ（０）／Ｏｑ（２０）
を算出し、このセンサ出力比Ｓと基準出力比Ｒとを比較する。基準出力比Ｒが光センサごとに設定されていれば、同じ光センサ同士の出力比を比較する。また一つの代表基準出力比Ｒのみが設定されていれば、それぞれの光センサのセンサ出力比Ｓと代表基準出力比Ｒとを比較する。
【００５４】
このとき、白原稿と黒原稿にかかわらず、原稿台ガラス１１の上に原稿が置かれているときには、それを検知する光センサの出力値は、角度が０°のときも２０°のときもほぼ一定である。原稿が置かれているときの角度０°，２０°のセンサ出力をそれぞれＯｐ（０），Ｏｐ（２０）とすると、これらの原稿を検知したときのセンサ出力比はＳ＝Ｏｐ（０）／Ｏｐ（２０）となり、この値はほぼ１となる。従ってセンサ出力比Ｓと基準出力比Ｒとを比較したときに、センサ出力比Ｓが基準出力変化比Ｒより小さければ、その光センサについては原稿ありと判断することができる。
【００５５】
こうしてＣＰＵ４４では、所定の二つの角度のそれぞれのセンサ出力比Ｓと、基準出力比Ｒと比較し、それぞれの光センサについて原稿の有無を判別する。そして上述したような光センサごとの原稿の有無の判別結果の組み合わせにより、原稿サイズを判定することができる。
【００５６】
また上記の基準出力比Ｒは、原稿がないときに実測したＯｃ（０）／Ｏｃ（２０）の値ではなく、これよりも小さい値にするとより検出制度を向上させることができる。例えば一例として、原稿がないときのＯｃ（０）／Ｏｃ（２０）の値が２．２であるときに、基準変化比は余裕度を加味して２．０〜１．８に設定することができる。
【００５７】
これにより原稿がないときにセンサ出力値がばらついた場合にも、原稿があるものとして誤検知することなく、確実に原稿の有無を判別することができる。ただしこの場合、基準出力比Ｒの設定値は、次に説明するような原稿台ガラス１１から原稿が浮いているような場合の出力比よりも大きくなるように設定しておく。
【００５８】
図８は、本発明の原稿サイズ検知装置による原稿検知処理例を説明するための他の図である。図８では、光センサの経年変化によりセンサ出力値が低下したときの状態を示している。つまり従来例で説明した図１５の状態に相当する。
本実施形態による原稿サイズ検知処理であれば、このような場合であっても確実に原稿の有無を判別することができる。つまり光センサの経年変化により、そのセンサ出力値が低下してセンサ出力値III´，IV´のようになり、原稿があるときの角度２０°のときのセンサ出力値がＯｐ（２０）からＯｐ（２０）´に低下し、角度０°のときのセンサ出力値がＯｐ（０）からＯｐ（０）´に低下したとしても、それぞれの角度におけるセンサ出力値の低下量は同等である。
【００５９】
従って、白原稿か黒原稿かに関わらず、原稿がある場合のセンサ出力比Ｓ（Ｏｐ（０）´／Ｏｐ（２０）´）は、常にほぼ１に近い値を取る。一方、原稿がない場合のセンサ出力比Ｒは、記憶手段１８に保持されたままであるので、これらの出力比を比較することにより、確実に原稿の有無を判別することができる。また光センサの経年変化後に基準出力比Ｒを更新したとしても、得られた基準出力比Ｒは原稿があるときの出力比よりも十分に大きいため、確実に原稿の有無を判別することができる。
【００６０】
図９は、本発明の原稿サイズ検知装置による原稿検知処理例を説明するための更に他の図である。図９は、想定反射率より低い反射率の原稿を検知するときの状態を示している。つまり従来例で説明した図１４の状態に相当する。
本実施形態による原稿サイズ検知処理であれば、このような場合であっても確実に原稿の有無を判別することができる。つまり想定反射率より低い反射率の原稿が原稿台ガラス１１の上に置かれたとき、そのセンサ出力値が想定値より低下してセンサ出力値IVのようになったとしても、センサ出力比Ｓ（Ｏｐ（０）／Ｏｐ（２０））は常にほぼ１に近い値を取る。従ってこの場合にも、センサ出力比Ｓを基準出力比Ｒと比較することにより、確実に原稿の有無を判別することができる。
【００６１】
図１０は、本発明の原稿サイズ検知装置による原稿検知処理例を説明するための更に他の図である。図１０では、原稿カバー１３が全閉ではないときに原稿台ガラス１１から原稿が浮いてしまっているときの状態を示している。
つまり、センサ出力値III´´に示すように、原稿押さえ白板１４の角度が２０°のときは、原稿台ガラス１１から白原稿が浮いてしまい、このときのセンサ出力値Ｏｐ（２０）´´が、角度０°のときのセンサ出力値Ｏｐ（０）よりも小さくなる。つまり原稿押さえ白板１４の角度が２０°のときの白原稿のセンサ出力値Ｏｐ（２０）´´と、角度０°のときのセンサ出力値Ｏｐ（０）とが異なり、これらのセンサ出力比Ｓが１ではない数値となってしまう。このような現象は、黒原稿のセンサ出力値IV´´においても同様である。
このような場合にも、基準センサ出力比Ｒとセンサ出力比Ｓを比較して、センサ出力比Ｓが基準センサ出力比Ｒより小さいかどうかを判別することにより、光センサごとの原稿の有無を正確に判別することができる。
【００６２】
図１１及び図１２は、本発明の原稿サイズ検知装置による原稿検知処理例を説明するためのフローチャートで、図１２は図１１に続くフローを示している。
本例の原稿サイズ検知装置は、角度検出手段として原稿カバー閉状態検出用スイッチ１５と角度センサによる角度検知部１６とを備え、原稿押さえ白板１４の所定の角度を検出したときにその信号を出力するものとする。所定の角度はここでは２０°と０°とし、角度センサで角度２０°を検出し、原稿カバー閉状態検出用スイッチにより角度０°を検出する。また光センサ１２ａ〜１２ｃが３カ所に備えられ、Ｂ５、Ａ４、Ａ３の原稿サイズを検知できるように配置されているものとする。ここでは３つの光センサ１２ａ〜１２ｃを第１〜第３の光センサとし、第１の光センサは、最も小さい原稿サイズのＢ５を検知できるように配置され、第３の光センサが最も大きい原稿サイズのＡ３を検知できるように配置されているものとする。
【００６３】
図１１において、まず角度センサにより出力があるかどうかを判別する（ステップＳ１）。ここでは、原稿押さえ白板１４の角度が２０°のときに、角度検出部１６の角度センサから検出信号が出力される。そして出力があれば、光センサ１２ａ〜１２ｂで反射光を受光して（ステップＳ２）、角度２０°のときのセンサ出力値Ｏｑ（２０）を記憶する（ステップＳ３）。ここでは、複数の光センサ１２ａ〜１２ｃの全ての出力値を記録する。
【００６４】
そして原稿カバー１３が閉められるのを待つ（ステップＳ４）。ここでは原稿押さえ白板１４の角度が０°のときに、原稿カバー閉状態検出用スイッチ１５から検出信号が出力される。そして出力があれば、光センサ１２ａ〜１２ｂで反射光を受光して（ステップＳ５）、角度０°のときのセンサ出力値Ｏｑ（０）を記憶する（ステップＳ６）。この場合にも複数の光センサ１２ａ〜１２ｃの全ての出力値を記録する。そして各光センサのセンサ出力比Ｏｑ（０）／Ｏｑ（２０）が基準出力比より小さいかどうか判別する（ステップＳ７）。このときセンサ出力比と基準出力比の比較は、複数の光センサのそれぞれについて個々に実行する。
【００６５】
センサ出力比が基準出力比より小さければ、その光センサについては原稿ありと判定し（ステップＳ８）、センサ出力比が基準出力比より小さくなければ、その光センサについては原稿なしと判断する。こうして全ての光センサについて、原稿ありもしくは原稿なしを判定する。
【００６６】
そして原稿ありまたは原稿なしが判定されると、次に図１２の原稿サイズの判定処理に移る。ここではまず第１の光センサに原稿があると判定されているかどうかを確認し、第１の光センサに原稿がなければ、原稿台ガラス１１上には原稿がないものと判定する（ステップＳ１４）。またステップＳ１０で第１の光センサに原稿があると判定されている場合、さらに第２の光センサに原稿があると判定されているかどうかを確認する（ステップＳ１１）。ここで第２の光センサに原稿がなければ、原稿台ガラス上の原稿サイズはＢ５であるものと判定する（ステップＳ１５）。
【００６７】
ステップＳ１１で第２の光センサに原稿があると判定されている場合、さらに第３の光センサに原稿があると判定されているかどうかを確認する（ステップＳ１２）。ここで第３の光センサに原稿がなければ、原稿台ガラス１１上の原稿サイズはＡ４であるものと判定する（ステップＳ１６）。
そしてステップＳ１２で第３の光センサに原稿があると判定されている場合には、原稿台ガラス１１上の原稿はＡ３であるものと判定する。原稿サイズを判定した後は、ステップＳ１で角度センサの出力を待つ。
【００６８】
なお上述した実施形態では、光センサの検知領域に原稿があるかないかを判定する際に、原稿押さえ白板１４の２つの角度におけるセンサ出力値の比を基準出力比とし、この基準出力比と実際のセンサ出力比とを比較している。その他の例として、２つの角度におけるセンサ出力値の比ではなく、差を用いるようにしてもよい。
つまり、予め原稿台ガラス１１上に原稿がない状態で、原稿押さえ白板１４の所定の２つの角度におけるセンサ出力値を取得し、これらの差を取って基準出力差として記憶しておく。基準出力差は、原稿がない状態の実際の測定値よりも低く設定できる。そして実際に原稿サイズを検知する際に、原稿押さえ白板１４の２つの角度におけるセンサ出力値を取得し、それらの差を取って基準出力差と比較する。そしてセンサ出力値が基準出力差より小さければ、その光センサについて原稿ありと判定する。
このように、２つの角度のセンサ出力値の差によって、原稿の有無を正確に判定できる場合には、上記出力比に代えて出力差を用いるようにしてもよい。
【００６９】
次に上述した各実施形態に関わる原稿読取装置を備えた画像形成装置の構成例を図１３に示す。画像形成装置は、大きく分けて本発明に関わる原稿読取装置に相当する画像読取部１００と、画像形成部、給紙部、及び後処理装置から構成されている。
【００７０】
図１３に示すように、画像読取部１００は、透明の原稿台ガラス１１と、原稿台ガラス１１上に載置された原稿の画像を走査して読み取るための原稿画像読み取りユニット、すなわちスキャナユニット１１０と、原稿押さえ白板（ＯＣマット）１４が付加された原稿カバー１３と、原稿台ガラス１１上へ自動的に原稿を供給するための両面対応自動原稿送り装置（ＲＡＤＦ）１２０とから構成されている。ＲＡＤＦ１２０は、原稿カバー１３に取り付けられている。また原稿押さえ白板１４は、ＲＡＤＦ１２０用にベルト式に回転できるように設けられている。
【００７１】
スキャナユニット１１０は、原稿面上を露光するランプリフレクタアセンブリと、原稿からの反射光像を電気的画像信号に変換する光電変換素子（ＣＣＤ）１２４に導くための第１反射ミラーを搭載した第１走査ユニット１２５と、第２，第３反射ミラーを搭載した第２走査ユニット１２６と、反射光像をＣＣＤ１２４上に結像するための光学レンズ体１２３とから構成される。第１走査ユニット１２５は原稿台ガラス１１に沿って左から右へ一定速度Ｖで走行し、第２走査ユニット１２６はＶ／２の速度で同一方向に走行するように走査制御される。
【００７２】
これにより、画像読取部１００では、ＲＡＤＦ１２０とスキャナユニット１１０の関連した動作によって、原稿台ガラス１１上に読み取るべき原稿を順次載置させながら、原稿台ガラス１１の下面に沿ってスキャナユニット１１０を移動させる。そして原稿台ガラス１１上に載置された原稿の画像を１ライン毎に順次ＣＣＤ１２４に結像させて、原稿画像を読み取る。また読取対象の原稿は、原稿カバー１３を開けて原稿台ガラス１１に載置することも可能となっている。
【００７３】
原稿サイズ検知装置は、光センサ１２ａ〜１２ｃ、原稿カバー閉状態検出用スイッチ１１５、角度センサ２０、遮光片２１、及びこれらを制御する制御部（図示せず）を備え、画像読取部１００に搭載されている。そして、原稿台ガラス１１の下面に沿ってスキャナユニット１１０を移動させる前などに、光センサ１２ａ〜１２ｃによって原稿の有無が判定され、原稿サイズが検知できる。そして検知された原稿サイズに基づき、スキャナユニット１１０の移動範囲を限定したり、また読み取った画像データの変倍処理などが実行される。また自動用紙選択モードが設定されているときに、検知された原稿サイズと変倍率などの設定に基づいて、給紙される用紙サイズが選択される。
【００７４】
また原稿カバー閉状態検出用スイッチ１５及び角度センサ２０によって、原稿カバー１３及び原稿押さえ白板１４の原稿台ガラス１１に対する角度が所定角度であることが検知された場合、上記のような原稿検知処理により原稿サイズを検知する。
【００７５】
スキャナユニット１１０で原稿画像を読み取ることにより得られた画像データは、各種処理が施された後、図示しないメモリに一旦記憶され、出力指示に応じてメモリから画像データを画像形成部に出力して、感光体ドラム１４２上に可視画像として再現した後、用紙上に画像を転写してトナー像を形成する。
【００７６】
この画像形成部は、レーザ書き込みユニット（ＬＳＵ）１４１及び画像を形成するための電子写真プロセス部１４０を備えている。ＬＳＵ１４１は、メモリから読み出した画像データまたはＰＣ等の外部機器から転送されてきた画像データに応じてレーザ光を出射する半導体レーザ、レーザ光を等角速度偏向するポリゴンミラー、等角速度偏向されたレーザ光が電子写真プロセス部１４０の感光体ドラム１４２上を等速度で走査するように補正するｆ−θレンズ等を有している。
【００７７】
電子写真プロセス部１４０は、周知の態様に従い、感光体ドラム１４２の周囲に帯電装置１４３、現像装置１４４、転写装置１４５、剥離装置１４６、クリーニング装置１４７、除電装置を配置し、さらに感光体ドラム１４２の下流側に定着装置１４８を配置して構成される。
【００７８】
給紙部は、第１〜３カセット１３１〜１３３、手差しトレイ１３５、及び大容量カセット１３４を有している。第１カセット１３１は、第１のトレイ及び第２のトレイを収容するタンデムトレイで、両トレイを装置本体から同時に引き出し可能となっている。第２カセット１３２及び第３カセット１３３は、それぞれ第３のトレイ、第４のトレイを収容する。大容量カセット１３４は第５のトレイである。給紙搬送部１３６，１３７は、給紙部から感光体ドラム１４２と転写装置１４５との間の転写位置に用紙を搬送するために、給紙ローラ、搬送ローラ、レジストローラを備えている。これらの５つのトレイには、用紙がサイズ毎に積載されて収容されており、使用者が所望するサイズの用紙が収容されているカセット或いはトレイを選択すると、そのトレイ内の用紙束の上から１枚ずつ送り出され、給紙搬送部１３６，１３７の搬送経路を経由して順次電子写真プロセス部１４０へ向けて搬送される。
【００７９】
定着装置１４８より用紙搬送方向下流側には、用紙排出路１４９が設けられている。この用紙排出路１４９は後処理装置の排紙搬送路１５１と、両面複写のための再給紙搬送部１５０とに分岐している。
ＬＳＵ１４１及び電子写真プロセス部１４０において、メモリから読み出された画像データは、ＬＳＵ１４１によってレーザ光線を走査させることにより感光体ドラム１４２の表面上に静電潜像として形成される。そして現像装置１４４のトナーにより可視像化されたトナー像は、給紙部から搬送された用紙の表面上に転写装置１４５により静電転写され、定着装置１４８によって定着される。
【００８０】
このようにして画像が形成された用紙は定着装置１４８から後処理装置へ送られ、或いは両面複写のための再給紙搬送部１５０へと選択的に搬送される。後処理装置に送られた用紙は、必要に応じてソート或いはステープル処理等の所定の処理が施され、第１排出卜レイ１５３又は第２排出卜レイ１５４にスタックされる。また、両面複写の再給紙搬送部１５０に送られた用紙は、ここで反転され再び電子写真プロセス部１４０に搬送されて、用紙の裏面に画像が形成され、定着後排出される。
【００８１】
後処理装置には、第１排出卜レイ１５３と第２排出卜レイ１５４が備えられている。第２排出卜レイ１５４は、画像形成部から排出された画像の形成されたシートを、後処理装置の側面上部に設けられた受け取り排紙搬送路１５１によって受け取り、シートがそのままの状態で排出される排出部である。第１排出卜レイ１５３は、ステープル，パンチ等選択的に装着される後処理手段１５２により後処理が成されたシートが排出される排出部である。後処理装置において、画像の形成されたシートは、使用者によって選択された第１排出卜レイ１５３又は第２排出卜レイ１５４から排出されるよう構成されている。
【００８２】
両面印刷を行う場合、画像が記録されたシートは、定着装置１４８を経て搬送ローラ１５５によりさらに上方搬送され、切換えゲート１５９を通過する。そして、シートの排出トレイが画像形成部の外装に備えられた積載トレイ１５７に設定されている場合は、反転ローラ１５６により積載トレイ１５７に排出される。一方、両面画像形成や後処理が指定されている場合には、一旦反転ローラ１５６により積載トレイ１５７に向けてシートを排出する。なお、この場合には、シートを完全に排出せず、シートを挟持させたまま反転ローラ１５６を逆転させる。そして、上記シートを逆方向、つまり両面画像形成や後処理のために選択的に装着されている再給紙搬送部１５０や後処理装置の装着されている方向に、反転搬送する。
【００８３】
このとき、切換えゲート１５９は、図の実線の状態（上向き）から破線の状態（下向き）に切換えられる。両面画像形成を行なう場合は、反転搬送されたシートは、別の切換えゲート１５８が上向き（破線）の状態で、再給紙搬送部１５０を通り、再び画像形成部に供給される。一方、後処理が成される場合は、再給紙搬送部１５０から別の切換えゲート１５８が下向き(実線)の状態で、後処理装置に搬送され、後処理が成されるようになっている。
【図面の簡単な説明】
【００８４】
【図１】本発明の一実施形態に関わる原稿サイズ検知装置を具備した原稿読取装置の構成例を説明するための図である。
【図２】本発明の原稿サイズ検知装置に適用される角度検出部の構成例を示す図である。
【図３】本発明の原稿サイズ検知装置に適用される角度検出手段の他の構成例を説明するための図である。
【図４】原稿サイズ検知装置の主要部の回路構成を説明するための図である。
【図５】原稿検知に使用する原稿押さえ白板の角度設定を説明するための図である。
【図６】原稿検知に使用する原稿押さえ白板の角度設定を説明するための他の図である。
【図７】本発明の原稿サイズ検知装置による原稿検知処理例を説明するための図である。
【図８】本発明の原稿サイズ検知装置による原稿検知処理例を説明するための他の図である。
【図９】本発明の原稿サイズ検知装置による原稿検知処理例を説明するための更に他の図である。
【図１０】本発明の原稿サイズ検知装置による原稿検知処理例を説明するための更に他の図である。
【図１１】本発明の原稿サイズ検知装置による原稿検知処理例を説明するためのフローチャートである。
【図１２】本発明の原稿サイズ検知装置による原稿検知処理例を説明するための他のフローチャートで、図１１に続くフローを示す図である。
【図１３】本発明による画像形成装置の構成例を示す図である。
【図１４】センサ出力値を利用した従来の原稿検知処理例を説明するための図である。
【図１５】反射型光センサの受光検知量が低下したときの原稿検知の誤動作について説明するための図である。
【図１６】想定反射率より低い反射率の原稿に対する原稿検知の誤動作について説明するための図である。
【符号の説明】
【００８５】
１…原稿読取装置、１０…筐体、１１…原稿台ガラス、１２ａ，１２ｂ，１２ｃ…光センサ、１３…原稿カバー、１４…白板、１５…原稿カバー閉状態検出用スイッチ、１６…角度検出部、１７…制御手段、１８…記憶手段、１９…支軸、２０…角度センサ、２０ａ…フォトインタラプタ、２１…遮光片、３０…抵抗、３１…直流電源、３２…可動片、４１…角度検出手段、４２…Ａ／Ｄ変換器、４３…スイッチ、４４…ＣＰＵ、１００…画像読取部、１１０…スキャナユニット、１１５…原稿カバー閉状態検出用スイッチ、１２０…両面対応自動原稿送り装置（ＲＡＤＦ）、１２１…発光部、１２２…受光部、１２３…光学レンズ体、１２４…ＣＣＤ、１２５…第１走査ユニット、１２６…第２走査ユニット、１３１…第１カセット、１３２…第２カセット、１３３…第３カセット、１３４…大容量カセット、１３５…トレイ、１３６，１３７…給紙搬送部、１４０…電子写真プロセス部、１４１…ＬＳＵ、１４２…感光体ドラム、１４３…帯電装置、１４４…現像装置、１４５…転写装置、１４６…剥離装置、１４７…クリーニング装置、１４８…定着装置、１４９…用紙排出路、１５０…再給紙搬送部、１５１…排紙搬送路、１５２…後処理手段、１５３…第１排出卜レイ、１５４…第２排出卜レイ、１５５…搬送ローラ、１５６…反転ローラ、１５７…積載トレイ、１５８，１５９…切換ゲート。
【図１】
2008219568.tif 000003
【図２】
2008219568.tif 000004
【図３】
2008219568.tif 000005
【図４】
2008219568.tif 000006
【図５】
2008219568.tif 000007
【図６】
2008219568.tif 000008
【図７】
2008219568.tif 000009
【図８】
2008219568.tif 000010
【図９】
2008219568.tif 000011
【図１０】
2008219568.tif 000012
【図１１】
2008219568.tif 000013
【図１２】
2008219568.tif 000014
【図１３】
2008219568.tif 000015
【図１４】
2008219568.tif 000016
【図１５】
2008219568.tif 000017
【図１６】
2008219568.tif 000018